(57)【要約】【課題】表示パネルが内部に収納されるケースの収納スペースを十分に確保しながら、電磁波ノイズに起因する動作不良の発生を抑制することが可能な表示装置を提供する。【解決手段】この表示装置は、４つの側部１ａ〜１ｄを有するケース１を備えている。そして、ケース１は、前面側ケース２および背面側ケース３により構成されており、ケース１の側部１ａ側において、前面側ケース２および背面側ケース３の各々の側部２ａおよび３ａの一部が側部の厚み方向に互いに重なるように配置されているとともに、ケース１の側部１ａ以外の側部１ｂ〜１ｄ側において、前面側ケース２および背面側ケース３の各々の側部２ａおよび３ａが側部の厚み方向に互いに重ならないように配置されている。【選択図】図１
2008064829.tif 000002
【特許請求の範囲】
【請求項１】
表示パネルと、
前記表示パネルが内部に収納されるとともに、第１側部および前記第１側部以外の第２
側部を有する箱状のケースとを備え、
前記ケースは、前記表示パネルが収納される収納領域を囲むように配置された側部をそ
れぞれ有する第１ケース部材および第２ケース部材により構成されており、
前記ケースの第１側部側において、前記第１ケース部材および前記第２ケース部材の各
々の側部の少なくとも一部は、前記側部の厚み方向に互いに重なるように配置されている
とともに、前記ケースの第１側部以外の第２側部側において、前記第１ケース部材および
前記第２ケース部材の各々の側部は、前記側部の厚み方向に互いに重ならないように配置
されていることを特徴とする表示装置。
【請求項２】
前記表示パネルに接続されているとともに、前記ケースの内部に収納される複数の駆動
回路をさらに備え、
前記複数の駆動回路のうちの所定の駆動回路は、前記ケースの第１側部側に配置されて
いることを特徴とする請求項１に記載の表示装置。
【請求項３】
前記ケースの内部に設けられ、前記ケースの第１側部および第２側部の内側面に沿って
配置された側部を有する枠体をさらに備え、
前記第１ケース部材および前記第２ケース部材の各々の側部は、前記枠体の側部に取り
付けられていることを特徴とする請求項１または２に記載の表示装置。
【請求項４】
前記ケースの第１側部側に位置する前記枠体の側部には、外側から内側に向かって凹む
段差部が形成されており、
前記ケースの第１側部側に位置する前記第１ケース部材および前記第２ケース部材の一
方の側部は、前記枠体の段差部に沿って折り曲げられた部分を有し、
前記ケースの第１側部側に位置する前記第１ケース部材および前記第２ケース部材の一
方の側部の折り曲げられた部分と、前記ケースの第１側部側に位置する前記第１ケース部
材および前記第２ケース部材の他方の側部とが前記側部の厚み方向に互いに重ねられてい
ることを特徴とする請求項３に記載の表示装置。
【発明の詳細な説明】
【技術分野】
【０００１】
この発明は、表示装置に関し、特に、表示パネルが収納されるケースを備えた表示装置
に関する。
【背景技術】
【０００２】
従来、表示装置として、液晶の光学的性質の変化を利用して表示を行う液晶表示装置が
知られている。このような液晶表示装置では、液晶表示パネルの背面側にバックライトユ
ニットが設けられており、そのバックライトユニットから発光される光が液晶表示パネル
に照射されることによって、文字や画像などが表示される。また、従来の液晶表示装置で
は、液晶表示パネルおよびバックライトユニットは、所定のケースの内部に収納されてい
る。
【０００３】
ところで、上記したような従来の液晶表示装置では、液晶表示パネルおよびバックライ
トユニットを収納するためのケースとして、一般的に、前面側に位置する前面側ケースと
、背面側に位置する背面側ケースとを組み合わせることによって構成されたケースが用い
られている（たとえば、特許文献１参照）。
【０００４】
図１０は、上記特許文献１に開示された従来の液晶表示装置を簡略的に示した断面図で
ある。図１０を参照して、従来の液晶表示装置では、板部材からなる箱状のケース１０１
の内部に、液晶表示パネル１０２およびバックライトユニット１０３が収納されている。
この液晶表示パネル１０２およびバックライトユニット１０３が収納されるケース１０１
は、前面側に位置する前面側ケース（カバーケース）１０４と、背面側に位置する背面側
ケース（収納ケース）１０５とによって構成されている。また、前面側ケース１０４は、
板部材が背面側に向かって垂直に折り曲げられることによって形成された側部１０４ａを
有するとともに、背面側ケース１０５は、板部材が前面側に向かって垂直に折り曲げられ
ることによって形成された側部１０５ａを有している。また、前面側ケース１０４には、
液晶表示パネル１０２の表示領域１０２ａを露出させるための開口部１０４ｂが形成され
ている。
【０００５】
また、従来の液晶表示装置では、ケース１０１は、前面側ケース１０４が背面側ケース
１０５に対して固定されることにより箱状に保持されている。具体的には、従来の液晶表
示装置では、ケース１０１の外周の全周に渡って、前面側ケース１０４および背面側ケー
ス１０５の各々の側部１０４ａおよび１０５ａがその側部の厚み方向（Ａ方向）に互いに
重ねられている。なお、前面側ケース１０４および背面側ケース１０５の各々の側部１０
４ａおよび１０５ａがその側部の厚み方向（Ａ方向）に互いに重ねられた状態では、前面
側ケース１０４の側部１０４ａが外側に配置されているとともに、背面側ケース１０５の
側部１０５ａが内側に配置されている。そして、前面側ケース１０４は、その側部１０４
ａが背面側ケース１０５の側部１０５ａにより内側から外側に向かって押圧されることに
よって、背面側ケース１０５に対して固定されている。従来の液晶表示装置では、このよ
うにして、前面側ケース１０４と背面側ケース１０５とにより構成されるケース１０１が
箱状に保持されている。
【０００６】
また、従来の液晶表示装置では、ケース１０１（前面側ケース１０４および背面側ケー
ス１０５）は、電磁波シールド材として機能する金属板（板部材）によって構成されてい
る。このため、上記したような構造を有するケース１０１を用いた従来の液晶表示装置で
は、ケース１０１の外周の全周に渡って電磁波シールド効果が向上するので、電磁波ノイ
ズに起因する動作不良の発生を抑制することが可能となる。
【０００７】
【特許文献１】特開２００６−１０７８９号公報
【発明の開示】
【発明が解決しようとする課題】
【０００８】
しかしながら、上記したような構造を有するケース１０１を用いた従来の液晶表示装置
では、ケース１０１の外周の全周に渡って、ケース１０１の側部１０１ａの厚みが大きく
なるという不都合がある。具体的には、従来の液晶表示装置では、図１０に示すように、
ケース１０１の側部１０１ａの厚みｔ１０１は、前面側ケース１０４の側部１０４ａの厚
みｔ１０４と背面側ケース１０５の側部１０５ａの厚みｔ１０５とを合計した値となる。
ここで、液晶表示装置を自動車のコンソールボックスに搭載する場合、液晶表示装置の外
形寸法（ケース１０１の外形寸法）は、ＤＩＮ規格（ドイツ工業規格）に合わせて統一す
る必要がある。このため、ケース１０１の外周の全周に渡って側部１０１ａの厚みｔ１０
１が大きくなると、その分、ケース１０１の側部１０１ａに囲まれた領域（液晶表示パネ
ル１０２などが収納される収納領域）が小さくなるという不都合がある。その結果、従来
の液晶表示装置では、電磁波シールド効果を向上させることができたとしても、液晶表示
パネル１０２などが収納される収納スペースを十分に確保するのが困難になるという問題
点がある。
【０００９】
なお、ケース１０１の収納スペースを十分に確保できない場合には、ケース１０１の内
部に収納される液晶表示パネル１０２のパネルサイズを小さくするなどの対策を施さなけ
ればならないという不都合が生じる。また、ケース１０１の収納スペースを十分に確保で
きない場合には、ケース１０１の内部に収納される操作用スイッチ（図示せず）などの設
置スペースの確保が困難になるという不都合も生じる。
【００１０】
この発明は、上記のような課題を解決するためになされたものであり、この発明の目的
は、表示パネルが内部に収納されるケースの収納スペースを十分に確保しながら、電磁波
ノイズに起因する動作不良の発生を抑制することが可能な表示装置を提供することである
。
【課題を解決するための手段】
【００１１】
上記目的を達成するために、この発明の一の局面による表示装置は、表示パネルと、表
示パネルが内部に収納されるとともに、第１側部および第１側部以外の第２側部を有する
箱状のケースとを備えている。そして、ケースは、表示パネルが収納される収納領域を囲
むように配置された側部をそれぞれ有する第１ケース部材および第２ケース部材により構
成されており、ケースの第１側部側において、第１ケース部材および第２ケース部材の各
々の側部の少なくとも一部は、側部の厚み方向に互いに重なるように配置されているとと
もに、ケースの第１側部以外の第２側部側において、第１ケース部材および第２ケース部
材の各々の側部は、側部の厚み方向に互いに重ならないように配置されている。
【００１２】
この一の局面による表示装置では、上記のように、表示パネルが内部に収納されるケー
スの第１側部側において、ケースを構成する第１ケース部材および第２ケース部材の各々
の側部の少なくとも一部が側部の厚み方向に互いに重なるように構成することによって、
ケースの第１側部側における電磁波シールド効果を向上させることができるので、表示装
置の内部で発生した電磁波ノイズがケースの第１側部側から表示装置の外部に漏れるのを
抑制することができ、かつ、表示装置の外部で発生した電磁波ノイズがケースの第１側部
側から表示装置の内部に侵入するのを抑制することができる。このため、複数の電子部品
がケースの内部に収納される場合において、電磁波ノイズの影響を受けやすく、かつ、電
磁波ノイズを発生しやすい所定の電子部品（たとえば、表示パネルに接続される駆動回路
など）をケースの第１側部側に配置すれば、表示装置の外部で発生した電磁波ノイズが所
定の電子部品に侵入するのを抑制することができるので、所定の電子部品の動作が電磁波
ノイズの影響を受けて不安定になるのを抑制することができる。さらに、所定の電子部品
で発生した電磁波ノイズが表示装置の外部に漏れるのも抑制することができるので、表示
装置の外部に設けられた外部電子部品の動作が電磁波ノイズの影響を受けて不安定になる
のも抑制することができる。この場合、表示パネルが内部に収納されるケースの第１側部
以外の第２側部側において、ケースを構成する第１ケース部材および第２ケース部材の各
々の側部が側部の厚み方向に互いに重ならないように構成することによって、表示装置の
外形寸法（ケースの外形寸法）を所定の規格に合わせて統一する必要があったとしても、
ケースの第２側部の厚みを小さくすることができるので、その分、ケースの内部の収納領
域を大きくすることができる。その結果、一の局面では、表示パネルが収納されるケース
の収納スペースを十分に確保しながら、電磁波ノイズに起因する動作不良の発生を抑制す
ることができる。なお、一の局面では、ケースの収納スペースを十分に確保することがで
きるので、ケースの内部に収納される表示パネルのパネルサイズを小さくするなどの対策
を施さなければならないという不都合や、ケースの内部に収納される操作用スイッチなど
の設置スペースの確保が困難になるという不都合が発生するのを抑制することができる。
【００１３】
上記一の局面による表示装置において、好ましくは、表示パネルに接続されているとと
もに、ケースの内部に収納される複数の駆動回路をさらに備え、複数の駆動回路のうちの
所定の駆動回路は、ケースの第１側部側に配置されている。このように構成すれば、所定
の駆動回路が電磁波ノイズの影響を受けやすい構造を有していたとしても、表示装置の外
部で発生した電磁波ノイズが所定の駆動回路に侵入するのを抑制することができるので、
所定の駆動回路の動作が電磁波ノイズの影響を受けて不安定になるのを抑制することがで
きる。また、所定の駆動回路が電磁波ノイズを発生しやすい構造を有していたとしても、
所定の駆動回路で発生した電磁波ノイズが表示装置の外部に漏れるのを抑制することがで
きるので、表示装置の外部に設けられた外部電子部品の動作が電磁波ノイズの影響を受け
て不安定になるのを抑制することができる。
【００１４】
上記一の局面による表示装置において、好ましくは、ケースの内部に設けられ、ケース
の第１側部および第２側部の内側面に沿って配置された側部を有する枠体をさらに備え、
第１ケース部材および第２ケース部材の各々の側部は、枠体の側部に取り付けられている
。このように構成すれば、第１ケース部材および第２ケース部材を枠体に対して固定する
ことができるので、第１ケース部材（第２ケース部材）に対して第２ケース部材（第１ケ
ース部材）を固定することなく、第１ケース部材および第２ケース部材により構成される
ケースを箱状に保持することができる。すなわち、一の局面では、第１ケース部材および
第２ケース部材により構成されるケースを箱状に保持するために、第１ケース部材および
第２ケース部材の各々の側部を側部の厚み方向に互いに重ねる必要がない。これにより、
容易に、ケースの第２側部側において、第１ケース部材および第２ケース部材の各々の側
部が側部の厚み方向に互いに重ならないように構成することができる。
【００１５】
この場合、好ましくは、ケースの第１側部側に位置する枠体の側部には、外側から内側
に向かって凹む段差部が形成されており、ケースの第１側部側に位置する第１ケース部材
および第２ケース部材の一方の側部は、枠体の段差部に沿って折り曲げられた部分を有し
、ケースの第１側部側に位置する第１ケース部材および第２ケース部材の一方の側部の折
り曲げられた部分と、ケースの第１側部側に位置する第１ケース部材および第２ケース部
材の他方の側部とが側部の厚み方向に互いに重ねられている。なお、ケースの内部に上記
のような枠体が設けられている場合、枠体の側部よりも内側の領域が表示パネルが収納さ
れる収納領域となる。このように構成すれば、収納領域（枠体の側部よりも内側の領域）
の大きさを変化させることなく、ケースの第１側部側において、第１ケース部材および第
２ケース部材の各々の側部の少なくとも一部が側部の厚み方向に互いに重なるように構成
することができる。
【発明の効果】
【００１６】
以上のように、本発明によれば、表示パネルが内部に収納されるケースの収納スペース
を十分に確保しながら、電磁波ノイズに起因する動作不良の発生を抑制することが可能な
表示装置を容易に得ることができる。
【発明を実施するための最良の形態】
【００１７】
図１は、本発明の一実施形態による液晶表示装置（表示装置）を前面側から見た場合の
斜視図である。図２は、図１に示した一実施形態による液晶表示装置を前面側から見た場
合の平面図である。図３は、図１に示した一実施形態による液晶表示装置の分解斜視図で
ある。図４は、図１に示した一実施形態による液晶表示装置のケースおよび枠体の斜視図
である。図５、図６、図７および図８は、それぞれ、図２の１００−１００線、２００−
２００線、３００−３００線および４００−４００線に沿った断面図である。図９は、図
１に示した一実施形態による液晶表示装置を背面側から見た場合の斜視図である（液晶表
示装置から背面側ケースを取り外した状態）。まず、図１〜図９を参照して、本実施形態
による液晶表示装置（表示装置）の構造について説明する。
【００１８】
本実施形態による液晶表示装置（表示装置）４０では、図１および図２に示すように、
箱状のケース１の内部に、後述する液晶表示パネル５やバックライトユニット６（図３参
照）などの部品が収納されている。この液晶表示装置４０のケース１は、電磁波シールド
材として機能する金属板により構成されている。また、液晶表示装置４０のケース１は、
収納領域４０ａ（図３および図４参照）を囲むように配置された４つの側部１ａ、１ｂ、
１ｃおよび１ｄを有している。すなわち、液晶表示装置４０のケース１は、平面的に見て
、四角形状に形成されている。なお、側部１ａは、本発明の「第１側部」の一例であり、
側部１ｂ〜１ｄは、本発明の「第２側部」の一例である。
【００１９】
また、図３および図４に示すように、液晶表示装置４０のケース１は、前面側に位置す
る前面側ケース２と、背面側に位置する背面側ケース３とによって構成されている。ケー
ス１を構成する前面側ケース２および背面側ケース３は、それぞれ、約０．３ｍｍの厚み
を有する金属板（電磁波シールド材）からなる。また、前面側ケース２は、金属板が背面
側に向かって垂直に折り曲げられることによって形成された側部２ａを有するとともに、
背面側ケース３は、金属板が前面側に向かって垂直に折り曲げられることによって形成さ
れた側部３ａを有している。この前面側ケース２および背面側ケース３の各々の側部２ａ
および３ａは、収納領域４０ａを囲むように配置されている。そして、ケース１の側部１
ａ〜１ｄ（図１および図２参照）は、前面側ケース２の側部２ａおよび背面側ケース３の
側部３ａを組み合わせることによって構成されている。なお、前面側ケース２および背面
側ケース３は、ぞれぞれ、本発明の「第１ケース部材」および「第２ケース部材」の一例
である。
【００２０】
また、液晶表示装置４０のケース１の内部には、ポリカーボネート樹脂（絶縁材料）か
らなる枠体４が配置されている。この枠体４は、４つの板状の側部４ａが一体的に連結さ
れることによって枠状に形成されている。また、枠体４の側部４ａは、ケース１の側部１
ａ〜１ｄの内側面に沿って配置されている。なお、本実施形態では、枠体４の側部４ａよ
りも内側の領域が収納領域４０ａとなる。また、枠体４の側部１ａには、後述する液晶表
示パネル５を支持するための支持部４ｂが一体的に形成されている。
【００２１】
ここで、本実施形態では、図３〜図５に示すように、バックライトユニット６と背面側
ケース３との間において、ケース１の側部１ａ側に位置する枠体４の側部４ａの下端部（
背面側ケース３側の端部）に、外側から内側に向かって凹む段差部４ｃが形成されている
。なお、枠体４の段差部４ｃの凹み量は、ケース１を構成する金属板の厚み（約０．３ｍ
ｍ）以上に設定されている。さらに、本実施形態では、ケース１の側部１ａ側に位置する
前面側ケース２の側部２ａは、ケース１の側部１ｂ〜１ｄ側に位置する前面側ケース２の
側部２ａよりも下方側に長く垂れ下がっているとともに、枠体４の段差部４ｃに沿って折
り曲げられた部分２ｂを有している。そして、本実施形態では、図５に示すように、ケー
ス１の側部１ａ側において、前面側ケース２の側部２ａの折り曲げられた部分２ｂと、背
面側ケース３の側部３ａの一部とが側部の厚み方向（Ａ方向）に互いに重ねられている。
その一方、図６〜図８に示すように、ケース１の側部１ａ以外の側部１ｂ〜１ｄ側におい
て、前面側ケース２および背面側ケース３の各々の側部２ａおよび３ａは、その端部が互
いに接触するくらい近づきながらも側部の厚み方向（Ａ方向）に互いに重ならないように
配置されている。
【００２２】
また、本実施形態では、図１、図３および図４に示すように、前面側ケース２および背
面側ケース３は、それぞれ、対応する側部２ａおよび３ａが枠体４の側部４ａに取り付け
られることによって枠体４に対して固定されている。具体的には、前面側ケース２の側部
２ａには、複数の係合穴２ｃが形成されているとともに、背面側ケース３の側部３ａには
、複数の係合穴３ｂが形成されている。また、枠体４の側部４ａには、前面側ケース２の
複数の係合穴２ｃとそれぞれ係合する複数の突出片４ｄと、背面側ケース３の複数の係合
穴３ｂとそれぞれ係合する複数の突出片４ｅとが一体的に形成されている。そして、前面
側ケース２の係合穴２ｃが枠体４の突出片４ｄと係合し（図５および図７参照）、かつ、
背面側ケース３の係合穴３ｂが枠体４の突出片４ｅと係合する（図６および図８参照）こ
とによって、前面側ケース２および背面側ケース３が同一の枠体４に対して固定されてい
る。また、前面側ケース２および背面側ケース３が枠体４に対して固定されることによっ
て、前面側ケース２および背面側ケース３によって構成されるケース１が箱状に保持され
ている。
【００２３】
また、図３に示すように、ケース１の内部に収納される液晶表示パネル５は、表示領域
５ａおよび非表示領域５ｂを有している。この液晶表示パネル５の表示領域５ａは、前面
側ケース２に形成された開口部２ｄによってケース１から露出されている。また、液晶表
示パネル５は、アクティブマトリクス構造を有している。すなわち、図示しないが、液晶
表示パネル５の各画素には、ＴＦＴ（Ｔｈｉｎ  Ｆｉｌｍ  Ｔｒａｎｓｉｓｔｏｒ：薄膜
トランジスタ）が１つずつ設けられている。また、液晶表示パネル５のＴＦＴのソース（
図示せず）には、ソースドライバ７を含むＦＰＣ（Ｆｌｅｘｉｂｌｅ  Ｐｒｉｎｔｅｄ  
Ｃｉｒｃｕｉｔ：フレキシブルプリント配線板）８が接続されているとともに、液晶表示
パネル５のＴＦＴのゲート（図示せず）には、ゲートドライバ９を含むＦＰＣ１０が接続
されている。なお、液晶表示パネル５は、本発明の「表示パネル」の一例であり、ソース
ドライバ７およびゲートドライバ９は、本発明の「駆動回路」の一例である。
【００２４】
また、ケース１の内部に収納されるバックライトユニット６は、液晶表示パネル５の背
面側に配置されている。このバックライトユニット６は、バックライトカバー１１と、反
射シート１２と、導光体１３と、光源１４と、光学シート１５とによって構成されている
。バックライトカバー１１は、金属板からなるとともに、その金属板が前面側に向かって
垂直に折り曲げられることによって形成された側部を有している。そして、反射シート１
２、導光体１３、光源１４および光学シート１５は、バックライトカバー１１の内部に収
納されている。反射シート１２は、ポリエステル樹脂からなるとともに、バックライトカ
バー１１の底面上に配置されている。また、反射シート１２は、バックライトカバー１１
の内側面に沿って配置された側部を有している。導光体１３は、アクリル樹脂などの透明
樹脂からなるとともに、反射シート１２の前面側において反射シート１２の側部に囲まれ
るように配置されている。光源１４は、ＣＦＬ（Ｃｏｌｄ  Ｆｉｕｏｒｅｓｃｅｎｔ  Ｌ
ａｍｐｓ：冷陰極管）からなるとともに、導光体１３の３辺を囲むように配置されている
。すなわち、光源１４は、導光体１３の３辺に沿って延びるようにコの字状に形成されて
いる。この光源１４には、リード線１６を介してコネクタ１７が接続されている。
【００２５】
また、光学シート１５は、導光体１３の前面側の表面上に配置されている。また、光学
シート１５は、拡散フィルム１８と、透明導電体フィルム１９と、拡散フィルム２０と、
レンズフィルム２１と、輝度上昇フィルム２２とを含んでいる。一方の拡散フィルム１８
は、光源１４からの光を横方向または縦方向に拡散させる機能を有するとともに、他方の
拡散フィルム２０は、光源１４からの光を縦方向または横方向に拡散させる機能を有して
いる。透明導電体フィルム１９は、ＩＴＯ（Ｉｎｄｉｕｍ  Ｔｉｎ  Ｏｘｉｄｅ）などの
透明導電体からなるとともに、ノイズを吸収する機能を有している。レンズフィルム２１
は、光源１４からの光の集光などを行う機能を有している。輝度上昇フィルム２２は、光
源１４からの光の輝度を上昇させる機能を有している。また、上記した各フィルム１８〜
２２は、この順番で、背面側（導光体１３側）から前面側に向かって積層されている。
【００２６】
また、図３、図８および図９に示すように、バックライトユニット６の背面側（バック
ライトユニット６の液晶表示パネル５側とは反対側）には、制御基板（メイン基板）２３
が設けられている。そして、ソースドライバ７を含むＦＰＣ８およびゲートドライバ９を
含むＦＰＣ１０は、背面側に向かって折り曲げられることによって制御基板２３に接続さ
れている。なお、本実施形態では、ソースドライバ７を含むＦＰＣ８が背面側に向かって
折り曲げられると、ソースドライバ７がケース１の側部１ａ側に配置されるとともに、ゲ
ートドライバ９がケース１の側部１ｄ側に配置される。また、ＦＰＣ８および１０が制御
基板２３に接続された状態では、ソースドライバ７およびゲートドライバ９は、保護シー
ト２４により覆われている。また、制御基板２３の背面側（制御基板２３のバックライト
ユニット６側とは反対側）には、サブ基板２５が設けられている。また、制御基板２３と
サブ基板２５との間には、制御基板２３とサブ基板２５とを電気的に接続するためのコネ
クタ２６が設けられている。また、サブ基板２５には、バックライトユニット６から発光
される光の輝度を測定するための輝度センサ２７が実装されている。
【００２７】
なお、図３に示すように、本実施形態では、ケース１の前面側にタッチパネル３０が設
けられている。そして、本実施形態では、タッチパネル３０によって液晶表示装置４０の
操作が行われるように構成されている。
【００２８】
本実施形態では、上記のように、液晶表示パネル５が内部に収納されるケース１の側部
１ａ側において、ケース１を構成する前面側ケース２および背面側ケース３の各々の側部
２ａおよび３ａの一部が側部の厚み方向（Ａ方向）に互いに重なるように構成することに
よって、ケース１の側部１ａ側における電磁波シールド効果を向上させることができるの
で、液晶表示装置４０の内部で発生した電磁波ノイズがケース１の側部１ａ側から液晶表
示装置４０の外部に漏れるのを抑制することができ、かつ、液晶表示装置４０の外部で発
生した電磁波ノイズがケース１の側部１ａ側から液晶表示装置４０の内部に侵入するのを
抑制することができる。このため、電磁波ノイズの影響を受けやすく、かつ、電磁波ノイ
ズを発生しやすいソースドライバ７をケース１の側部１ａ側に配置した本実施形態では、
液晶表示装置４０の外部で発生した電磁波ノイズがソースドライバ７に侵入するのを抑制
することができるので、ソースドライバ７の動作が電磁波ノイズの影響を受けて不安定に
なるのを抑制することができる。さらに、ソースドライバ７で発生した電磁波ノイズが液
晶表示装置４０の外部に漏れるのも抑制することができるので、液晶表示装置４０の外部
に設けられた外部電子部品（図示せず）の動作が電磁波ノイズの影響を受けて不安定にな
るのも抑制することができる。この場合、液晶表示パネル５が内部に収納されるケース１
の側部１ａ以外の側部１ｂ〜１ｄ側において、ケース１を構成する前面側ケース２および
背面側ケース３の各々の側部２ａおよび３ａが側部の厚み方向（Ａ方向）に互いに重なら
ないように構成することによって、液晶表示装置４０の外形寸法（ケース１の外形寸法）
を所定の規格（たとえば、ＤＩＮ規格）に合わせて統一する必要があったとしても、ケー
ス１の側部１ｂ〜１ｄの厚みを小さくすることができるので、その分、ケース１の内部の
収納領域４０ａを大きくすることができる。その結果、本実施形態では、液晶表示パネル
５が収納されるケース１の収納スペースを十分に確保しながら、電磁波ノイズに起因する
動作不良の発生を抑制することができる。このとき、ケース１の側部１ａ以外の側部１ｂ
〜１ｄ側において、ケース１を構成する前面側ケース２および背面側ケース３の各々の側
部２ａおよび３ａの端部はできるだけ近づくようにした方がよい。これは、側部２ａおよ
び３ｂの端部間の距離が大きくなると、側部２ａおよび３ｂの端部間から電磁波ノイズが
侵入して電磁波ノイズの影響を受けやすくなるからである。
【００２９】
なお、本実施形態では、ケース１の収納スペースを十分に確保することができるので、
ケース１の内部に収納される液晶表示パネル５のパネルサイズを小さくするなどの対策を
施さなければならないという不都合や、ケース１の内部に収納される操作用スイッチ（図
示せず）などの設置スペースの確保が困難になるという不都合が発生するのを抑制するこ
とができる。
【００３０】
また、本実施形態では、上記のように、ケース１を構成する前面側ケース２および背面
側ケース３の各々の側部２ａおよび３ａを、枠体４の側部４ａに取り付けることによって
、前面側ケース２および背面側ケース３を枠体４に対して固定することができるので、前
面側ケース２（背面側ケース３）に対して背面側ケース３（前面側ケース２）を固定する
ことなく、前面側ケース２および背面側ケース３により構成されるケース１を箱状に保持
することができる。すなわち、本実施形態では、前面側ケース２および背面側ケース３に
より構成されるケース１を箱状に保持するために、前面側ケース２および背面側ケース３
の各々の側部２ａおよび３ａを側部の厚み方向（Ａ方向）に互いに重ねる必要がない。こ
れにより、容易に、ケース１の側部１ｂ〜１ｄ側において、前面側ケース２および背面側
ケース３の各々の側部２ａおよび３ａが側部の厚み方向（Ａ方向）に互いに重ならないよ
うに構成することができる。
【００３１】
また、本実施形態では、上記のように、ケース１の側部１ａ側に位置する枠体４の側部
４ａに段差部４ｃを形成するとともに、ケース１の側部１ａ側に位置する前面側ケース２
の側部２ａの一部を枠体４の段差部４ｃに沿って折り曲げることによって、ケース１の側
部１ａ側において、前面側ケース２の側部２ａの折り曲げられた部分２ｂと、背面側ケー
ス３の側部３ａの一部とを側部の厚み方向（Ａ方向）に互いに重ねれば、収納領域（枠体
４の側部４ａよりも内側の領域）４０ａの大きさを変化させることなく、前面側ケース２
および背面側ケース３の各々の側部２ａおよび３ａの一部が側部の厚み方向（Ａ方向）に
互いに重なるように構成することができる。特に、ソースドライバ７にできるだけ近い位
置で前面側ケース２および背面側ケース３の各々の側部２ａおよび３ａの一部がその側部
の厚み方向（Ａ方向）に互いに重なるようにするために、ケース１の側部１ａ側に位置す
る枠体４の側部４ａに形成される段差部４ｃを、バックライトユニット６と背面側ケース
３の底面との間に配置するのがよい。
【００３２】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００３３】
たとえば、上記実施形態では、液晶表示装置に本発明を適用する例を説明したが、本発
明はこれに限らず、液晶表示装置以外の表示装置にも適用可能である。
【００３４】
また、上記実施形態では、バックライトユニットを含む液晶表示装置に本発明を適用す
る例を説明したが、本発明はこれに限らず、バックライトユニットを含まない液晶表示装
置にも適用可能である。
【００３５】
また、上記実施形態では、ソースドライバ側において、前面側ケースおよび背面側ケー
スの各々の側部をその側部の厚み方向に互いに重ねるようにしたが、本発明はこれに限ら
ず、ソースドライバおよびゲートドライバの両方のドライバ側において、前面側ケースお
よび背面側ケースの各々の側部をその側部の厚み方向に互いに重ねるようにしてもよい。
【図面の簡単な説明】
【００３６】
【図１】本発明の一実施形態による液晶表示装置（表示装置）を前面側から見た場合の斜視図である。
【図２】図１に示した一実施形態による液晶表示装置を前面側から見た場合の平面図である。
【図３】図１に示した一実施形態による液晶表示装置の分解斜視図である。
【図４】図１に示した一実施形態による液晶表示装置のケースおよび枠体の斜視図である。
【図５】図２の１００−１００線に沿った断面図である。
【図６】図２の２００−２００線に沿った断面図である。
【図７】図２の３００−３００線に沿った断面図である。
【図８】図２の４００−４００線に沿った断面図である。
【図９】図１に示した一実施形態による液晶表示装置を背面側から見た場合の斜視図である（液晶表示装置から背面側ケースを取り外した状態）。
【図１０】従来の液晶表示装置を簡略的に示した断面図である。
【符号の説明】
【００３７】
１  ケース
１ａ  側部（第１側部）
１ｂ、１ｃ、１ｄ  側部（第２側部）
２  前面側ケース（第１ケース部材）
２ａ、３ａ  側部
２ｂ  部分
３  背面側ケース（第２ケース部材）
４  枠体
４ａ  側部
４ｃ  段差部
５  液晶表示パネル（表示パネル）
７  ソースドライバ（駆動回路）
９  ゲートドライバ（駆動回路）
４０  液晶表示装置（表示装置）
４０ａ  収納領域
【図１】
2008064829.tif 000003
【図２】
2008064829.tif 000004
【図３】
2008064829.tif 000005
【図４】
2008064829.tif 000006
【図５】
2008064829.tif 000007
【図６】
2008064829.tif 000008
【図７】
2008064829.tif 000009
【図８】
2008064829.tif 000010
【図９】
2008064829.tif 000011
【図１０】
2008064829.tif 000012